【手続補正書】
【提出日】平成22年12月27日(2010.12.27)
【手続補正１】
【補正対象書類名】特許請求の範囲
【補正対象項目名】全文
【補正方法】変更
【補正の内容】
【特許請求の範囲】
【請求項１】
撮像対象の光学像に対応した電荷を蓄積すると共に、蓄積した電荷を転送して撮像信号として読み出すことで撮像を行う撮像手段と、
前記撮像手段から撮像信号をフィールド単位で連続して読み出すように前記撮像手段を駆動すると共に、前記フィールド単位で、前記撮像手段を駆動する水平周期を異ならせる制御手段と、
前記フィールド単位で撮像条件を設定する撮像条件設定手段と、
を備え、
前記制御手段は、
前記撮像条件設定手段により設定された前記撮像条件が所定条件を満たす場合に、前記フィールド単位で水平周期を異ならせる制御を実施しないことを特徴とする画像処理装置。
【請求項２】
前記制御手段は、前記水平周期の各水平期間における有効画素期間以外の期間の長さを異ならせることで、前記フィールド単位で水平周期を異ならせることを特徴とする請求項１記載の画像処理装置。
【請求項３】
前記制御手段は、前記水平周期の各水平期間における、前記撮像手段の水平方向の電荷転送が停止しているブランキング期間を異ならせることで、前記フィールド単位で水平周期を異ならせることを特徴とする請求項２記載の画像処理装置。
【請求項４】
前記制御手段は、前記水平周期の各水平期間における、前記撮像手段の蓄積電荷が無い状態の信号が出力される空転送期間を異ならせることで、前記フィールド単位で水平周期を異ならせることを特徴とする請求項２記載の画像処理装置。
【請求項５】
前記撮像条件は撮像感度であり、前記制御手段は、前記撮像条件設定手段により設定された撮像感度が規定値より小さい場合に、前記フィールド単位で水平周期を異ならせる制御を実施しないことを特徴とする請求項１記載の画像処理装置。
【請求項６】
前記撮像条件は前記撮像手段の露光時間であり、前記制御手段は、前記撮像条件設定手段により設定された露光時間が規定値より小さい場合に、前記フィールド単位で水平周期を異ならせる制御を実施しないことを特徴とする請求項１記載の画像処理装置。
【請求項７】
前記撮像手段から読み出された撮像信号に規定の処理を行う信号処理手段をさらに有し、
前記信号処理手段は、前記撮像手段からフィールド単位で連続して読み出した撮像信号から動画像を生成することを特徴とする請求項１記載の画像処理装置。
【請求項８】
撮像装置、撮影機能付き携帯端末、画像読取装置のいずれかに適用可能であることを特徴とする請求項１〜７のいずれかに記載の画像処理装置。
【請求項９】
撮像対象の光学像に対応した電荷を蓄積すると共に蓄積した電荷を転送して撮像信号として読み出すことで撮像を行う撮像手段を備える撮像装置の制御方法であって、
前記撮像手段から撮像信号をフィールド単位で連続して読み出すように前記撮像手段を駆動すると共に、前記フィールド単位で、前記撮像手段を駆動する水平周期を異ならせる制御工程と、
前記フィールド単位で撮像条件を設定する撮像条件設定工程と、
を備え、
前記制御工程は、
前記撮像条件設定工程により設定された前記撮像条件が所定条件を満たす場合に、前記フィールド単位で水平周期を異ならせる制御を実施しないことを特徴とする制御方法。
【請求項１０】
撮像対象の光学像に対応した電荷を蓄積すると共に蓄積した電荷を転送して撮像信号として読み出すことで撮像を行う撮像手段を備える撮像装置の制御方法をコンピュータに実行させるコンピュータ読み取り可能なプログラムであって、前記制御方法は、
前記撮像手段から撮像信号をフィールド単位で連続して読み出すように前記撮像手段を駆動すると共に、前記フィールド単位で、前記撮像手段を駆動する水平周期を異ならせる制御工程と、
前記フィールド単位で撮像条件を設定する撮像条件設定工程と、
を備え、
前記制御工程は、
前記撮像条件設定工程により設定された前記撮像条件が所定条件を満たす場合に、前記フィールド単位で水平周期を異ならせる制御を実施しないことを特徴とするプログラム。
【手続補正２】
【補正対象書類名】明細書
【補正対象項目名】００４０
【補正方法】変更
【補正の内容】
【００４０】
上述の目的を達成するために、本発明は、撮像対象の光学像に対応した電荷を蓄積すると共に、蓄積した電荷を転送して撮像信号として読み出すことで撮像を行う撮像手段と、前記撮像手段から撮像信号をフィールド単位で連続して読み出すように前記撮像手段を駆動すると共に、前記フィールド単位で、前記撮像手段を駆動する水平周期を異ならせる制御手段と、前記フィールド単位で撮像条件を設定する設定手段と、を備え、前記制御手段は、前記撮像条件設定手段により設定された前記撮像条件が所定条件を満たす場合に、前記フィールド単位で水平周期を異ならせる制御を実施しないことを特徴とする。
【手続補正３】
【補正対象書類名】明細書
【補正対象項目名】００４１
【補正方法】変更
【補正の内容】
【００４１】
また、本発明は、撮像対象の光学像に対応した電荷を蓄積すると共に蓄積した電荷を転送して撮像信号として読み出すことで撮像を行う撮像手段を備える撮像装置の制御方法であって、前記撮像手段から撮像信号をフィールド単位で連続して読み出すように前記撮像手段を駆動すると共に、前記フィールド単位で、前記撮像手段を駆動する水平周期を異ならせる制御工程と、前記フィールド単位で撮像条件を設定する撮像条件設定工程と、を備え、前記制御工程は、前記撮像条件設定工程により設定された前記撮像条件が所定条件を満たす場合に、前記フィールド単位で水平周期を異ならせる制御を実施しないことを特徴とする。
【手続補正４】
【補正対象書類名】明細書
【補正対象項目名】００４２
【補正方法】変更
【補正の内容】
【００４２】
また、本発明は、撮像対象の光学像に対応した電荷を蓄積すると共に蓄積した電荷を転送して撮像信号として読み出すことで撮像を行う撮像手段を備える撮像装置の制御方法をコンピュータに実行させるコンピュータ読み取り可能なプログラムであって、前記制御方法は、前記撮像手段から撮像信号をフィールド単位で連続して読み出すように前記撮像手段を駆動すると共に、前記フィールド単位で、前記撮像手段を駆動する水平周期を異ならせる制御工程と、前記フィールド単位で撮像条件を設定する撮像条件設定工程と、を備え、前記制御工程は、前記撮像条件設定工程により設定された前記撮像条件が所定条件を満たす場合に、前記フィールド単位で水平周期を異ならせる制御を実施しないことを特徴とする。
【手続補正５】
【補正対象書類名】明細書
【補正対象項目名】００４８
【補正方法】変更
【補正の内容】
【００４８】
コネクタ３２２は、レンズユニット３００を撮像装置本体１００と電気的に接続する。コネクタ３２２は、撮像装置本体１００とレンズユニット３００との間で制御信号、状態信号、データ信号等を伝達し合うと共に、各種電圧の電流を供給される或いは供給する機能も有する。コネクタ３２２は、電気通信のみならず、光通信、音声通信等を行う構成としてもよい。絞り制御部３４０は、測光制御部４６からの測光情報に基づいて、撮像装置本体１００のシャッタ１２を制御するシャッタ制御部４０と連携しながら、絞り３１２を制御する。
【手続補正６】
【補正対象書類名】明細書
【補正対象項目名】００５３
【補正方法】変更
【補正の内容】
【００５３】
画像処理回路２０（信号処理手段）は、Ａ／Ｄ変換器１６或いはメモリ制御回路２２から出力される画像データに対して所定の画素補間処理や色変換処理を行う。また、画像処理回路２０は、Ａ／Ｄ変換器１６から出力される画像データを用いて所定の演算処理を行う。また、画像処理回路２０は、システム制御回路５０が演算結果に基づいてシャッタ制御部４０、焦点調節部４４を制御するための次の処理を行う。ＴＴＬ（スルー・ザ・レンズ）方式のオートフォーカス（ＡＦ）処理、自動露出（ＡＥ）処理、フラッシュ調光（ＥＦ）処理。更に、画像処理回路２０は、Ａ／Ｄ変換器１６から出力される画像データを用いて所定の演算処理を行い、演算結果に基づいてＴＴＬ方式のオートホワイトバランス（ＡＷＢ）処理も行う。
【手続補正７】
【補正対象書類名】明細書
【補正対象項目名】００５４
【補正方法】変更
【補正の内容】
【００５４】
なお、本実施の形態では、焦点調節部４４及び測光制御部４６を専用に備えているため、次の構成としてもよい。即ち、焦点調節部４４及び測光制御部４６を用いてＡＦ処理、ＡＥ処理、ＥＦ処理の各処理を行い、画像処理回路２０を用いたＡＦ処理、ＡＥ処理、ＥＦ処理の各処理を行わない構成としても構わない。また、焦点調節部４４及び測光制御部４６を用いてＡＦ処理、ＡＥ処理、ＥＦ処理の各処理を行い、更に、画像処理回路２０を用いてＡＦ処理、ＡＥ処理、ＥＦ処理の各処理を行う構成としてもよい。
【手続補正８】
【補正対象書類名】明細書
【補正対象項目名】００５９
【補正方法】変更
【補正の内容】
【００５９】
シャッタ制御部４０は、測光制御部４６からの測光情報に基づいて絞り３１２を制御する絞り制御部３４０と連携しながらシャッタ１２を制御する。焦点調節部４４は、ＡＦ処理を行うものであり、次の測定を行う。レンズユニット３００内の撮像レンズ３１０に入射した光線を絞り３１２、レンズマウント３０６、１０６、ミラー１３０及び焦点調節用サブミラー（不図示）を介して一眼レフ方式で入射することにより、光学像として結像された画像の合焦状態を測定する。測光制御部４６は、ＡＥ処理を行うものであり、次の測定を行う。光学像として結像された画像の露出状態を測定する。
【手続補正９】
【補正対象書類名】明細書
【補正対象項目名】００６２
【補正方法】変更
【補正の内容】
【００６２】
また、焦点調節部４４による測定結果と、Ａ／Ｄ変換器１６からの画像データを画像処理回路２０により演算した演算結果とを用いてＡＦ制御を行うようにしてもよい。更に、測光制御部４６による測定結果と、Ａ／Ｄ変換器１６からの画像データを画像処理回路２０により演算した演算結果とを用いて露出制御を行うようにしてもよい。
【手続補正１０】
【補正対象書類名】明細書
【補正対象項目名】００８８
【補正方法】変更
【補正の内容】
【００８８】
他方、電源スイッチ７２が電源ＯＮに設定されていた場合、システム制御回路５０は、電源制御部８０により電池等から構成される電源部８６の残容量や動作情況が撮像装置の動作に問題があるか否かを判断する（ステップＳ１０４）。電源部８６に問題がある場合（ステップＳ１０４でＮＯ）、システム制御回路５０は、通知部５４を用いて画像や音声により所定の警告表示を行った後（ステップＳ１０５）、ステップＳ１０２に戻る。
【手続補正１１】
【補正対象書類名】明細書
【補正対象項目名】００８９
【補正方法】変更
【補正の内容】
【００８９】
他方、電源部８６に問題が無い場合（ステップＳ１０４でＹＥＳ）、システム制御回路５０は、記録媒体着脱検知回路９８により撮像装置本体１００に対する記録媒体２００或いは２１０の装着の有無を判断する（ステップＳ１０６）。更に、システム制御回路５０は、装着されている場合は記録媒体２００或いは２１０に記録された画像データの管理情報を取得する。
【手続補正１２】
【補正対象書類名】明細書
【補正対象項目名】００９３
【補正方法】変更
【補正の内容】
【００９３】
次に、システム制御回路５０は、シャッタスイッチＳＷ１・６２の状態を確認する（ステップＳ１０８）。シャッタスイッチＳＷ１・６２押されていない場合、ステップＳ１０２に戻る。シャッタスイッチＳＷ１・６２が押された場合、システム制御回路５０は、モードダイアルスイッチ６０の状態を判断する（ステップＳ１０９）。システム制御回路５０は、静止画撮影モードに設定されていた場合、動画モードフラグをリセット（オフ）し（ステップＳ１１１）、動画撮影モードに設定されていた場合、動画モードフラグをセット（オン）する（ステップＳ１１０）。
【手続補正１３】
【補正対象書類名】明細書
【補正対象項目名】００９４
【補正方法】変更
【補正の内容】
【００９４】
次に、システム制御回路５０は、ＡＦ処理、ＡＥ処理、ＡＷＢ処理を行う（ステップＳ１１２）。ステップＳ１１２では、先ず、システム制御回路５０は、ＡＦ処理を行って撮像レンズ３１０の焦点を被写体に合わせる。この時、システム制御回路５０は、撮像レンズ３１０に入射した光線を、絞り３１２、レンズマウント３０６及び１０６、ミラー１３０、測距用サブミラー（不図示）を介して焦点調節部４４に入射させ、光学像として結像された画像の合焦状態を判断する。
【手続補正１４】
【補正対象書類名】明細書
【補正対象項目名】００９５
【補正方法】変更
【補正の内容】
【００９５】
システム制御回路５０は、合焦と判断するまでフォーカス制御部３４２を用いて撮像レンズ３１０を駆動しながら、焦点調節部４４を用いて合焦状態を検出するＡＦ制御を実行する。システム制御回路５０は、合焦と判断すると、撮影画面内の複数の測距点の中から合焦した測距点を決定し、決定した測距点のデータと共に合焦データ及び設定パラメータ（或いは設定パラメータ）をシステム制御回路５０の内部メモリ或いはメモリ５２に記憶する。
【手続補正１５】
【補正対象書類名】図面
【補正対象項目名】図２
【補正方法】変更
【補正の内容】
【図２】
2009164892.tif 000001
【手続補正１６】
【補正対象書類名】図面
【補正対象項目名】図８
【補正方法】変更
【補正の内容】
【図８】
2009164892.tif 000002